(57)【要約】【課題】方形屋根・寄棟屋根等における水平棟と傾斜棟とが交差する部位に設置される棟部材継手を、１つの棟部材継手だけで勾配の異なる傾斜棟に対応可能にする。【解決手段】方形屋根・寄棟屋根Ｓ等における水平棟Ｘと傾斜棟Ｙとが交差する部位に設置される棟部材継手Ａであって、継手本体部１の一方には、前記水平棟Ｘに連結される水平連結部２を形成すると共に、他方には、前記傾斜棟Ｙに連結される傾斜連結部３が形成されてなり、前記傾斜連結部３の先端には、勾配の異なる複数の段部３ａ〜３ｆを連設したことを特徴とする。【選択図】図１
2007239193.tif 000002
【特許請求の範囲】
【請求項１】
方形屋根・寄棟屋根等における水平棟と傾斜棟とが交差する部位に設置される棟部材継手であって、
継手本体部の一方には、前記水平棟に連結される水平連結部を形成すると共に、他方には、前記傾斜棟に連結される傾斜連結部が形成されてなり、
前記傾斜連結部の先端には、勾配の異なる複数の段部を連設したことを特徴とする棟部材継手。
【請求項２】
請求項１において、
継手本体部の他方には、傾斜棟に連結される複数の傾斜連結部が分岐して形成されてなることを特徴とする棟部材継手。
【請求項３】
請求項１又は２の何れかにおいて、
勾配の異なる複数の段部は、軒側に向けて順次急勾配となるように連設したことを特徴とする棟部材継手。
【発明の詳細な説明】
【技術分野】
【０００１】
本発明は、方形屋根・寄棟屋根等における水平棟と傾斜棟とが交差する部位に設置される棟部材継手に関する。
【背景技術】
【０００２】
一般に、寄棟屋根では、屋根頂上に葺かれた水平棟と、この水平棟の端部から分岐された２つの傾斜棟とが連設されてなり、これら水平棟と傾斜棟が交差する部位には、棟部材継手が設置されている（例えば、特許文献１参照。）。
【０００３】
なお、方形屋根では、前記水平棟は無く、屋根頂上から四方に分岐された４つの傾斜棟が連設されてなり、前記屋根頂上に棟部材継手が設置される。
【特許文献１】実開昭６１−２３１３９号
【発明の開示】
【発明が解決しようとする課題】
【０００４】
しかしながら、前記水平棟は、常に水平に設置されるのに対し、前記傾斜棟は、屋根の形状、構造等の設計に応じて、その傾斜角度、すなわち勾配が変動されるものである。
【０００５】
そのため、従来の棟部材継手は、特定された傾斜棟の勾配に対応する専用の棟部材継手を個別に製造するか、或いは、勾配の異なる複数種の棟部材継手を予め製造しておき、これらの内から、所望の勾配に対応する棟部材継手を選定する必要があり、棟部材継手の製造や選択等に時間を要し、作業効率が悪いだけでなく、製造コストも高いという問題があった。
【０００６】
本発明は、かかる課題を解決することを目的とするもので、１つの棟部材継手だけで勾配の異なる傾斜棟に対応可能な棟部材継手を提供する。
【課題を解決するための手段】
【０００７】
上記目的を達成するため、
請求項１に係る棟部材継手は、方形屋根・寄棟屋根等における水平棟と傾斜棟とが交差する部位に設置される棟部材継手であって、継手本体部の一方には、前記水平棟に連結される水平連結部を形成すると共に、他方には、前記傾斜棟に連結される傾斜連結部が形成されてなり、前記傾斜連結部の先端には、勾配の異なる複数の段部を連設したことを特徴とする棟部を特徴とする。
【０００８】
請求項２に係る棟部材継手は、請求項１において、継手本体部の他方には、傾斜棟に連結される複数の傾斜連結部が分岐して形成されてなることを特徴とする。
【０００９】
請求項３に係る棟部材継手は、請求項１又は２の何れかにおいて、勾配の異なる複数の段部は、軒側に向けて順次急勾配となるように連設したことを特徴とする。
【発明の効果】
【００１０】
本発明によれば、次のような効果がある。
請求項１に係る棟部材継手によれば、傾斜棟の棟側端を、勾配の異なる複数の段部のうち、所望の勾配の段部に連設するだけで、傾斜棟を所望の勾配に簡単に葺くことができる。
【００１１】
そのため、傾斜棟の勾配に応じた棟部材継手を個別に製造したり、又は、複数の棟部材継手を予め取り揃えておく必要がなく、１つの棟部材継手を兼用して勾配の異なる傾斜棟に対応することができ、作業効率を高めることができるうえ、大幅なコストダウンを図れることができる。
【００１２】
請求項２に係る棟部材継手によれば、継手本体部の他方には、傾斜棟に連結される複数の傾斜連結部が分岐して形成されてなるので、二つ以上に分岐された傾斜棟であっても、請求項１と同様の効果を得ることができる。
【００１３】
請求項３に係る棟部材継手によれば、勾配の異なる複数の段部は、軒側に向けて順次急勾配となるように連設しているので、所望の勾配を簡単に選定することができ、作業効率を更に高めることができる。
【発明を実施するための最良の形態】
【００１４】
以下、本発明に係る棟部材継手を図面とともに説明する。
【実施例１】
【００１５】
図１は、本発明に係る棟部材継手Ａの一実施例を示す要部の使用状態図であり、図２（ａ）は、図１で示した本発明に係る棟部材継手Ａの斜視図であり、図２（ｂ）は、図２（ａ）をＬ−Ｌ方向から見た状態を示す
なお、本実施例では、寄棟屋根における棟部材継手Ａについてのみ説明するが、方形屋根についても、略同様であるため、その説明は省略している。
【００１６】
一般に、寄棟屋根Ｓでは、前・後及び左・右の四方に向けて屋根材Ｙが傾斜して葺かれており、このうち、前・後に傾斜して葺かれた屋根材Ｙ１の棟上には、これら屋根材Ｙ１の繋ぎ部材として、左・右方向に水平な水平棟Ｘを設置している。
【００１７】
一方、左・右方向に傾斜して葺かれた屋根材Ｙ２と、屋根材Ｙ１の両端との会合部分とは、所定の傾斜角度（以下、「勾配」と呼ぶ。）によって傾斜しており、前記会合部分の繋ぎ部材として、斜め方向に傾斜された傾斜棟Ｚを設置している。
【００１８】
本発明に係る棟部材継手Ａは、このような寄棟屋根Ｓにおける水平棟Ｘと傾斜棟Ｚとが交差する部位に設置されるものであり、以下、これを詳説する。
【００１９】
この棟部材継手Ａは、屋根材Ｙの材質に合わせた瓦・合成樹脂等によって一体成形されており、基材である継手本体部１の一方には、水平棟Ｘに連結される水平連結部２を形成すると共に、他方には、傾斜棟Ｚに連結される傾斜連結部３が形成されてなる。
【００２０】
本実施例では、傾斜棟Ｚが、水平棟Ｘの端部から分岐される寄棟屋根を例示しているため、これに対応するように、継手本体部１の他方には、傾斜棟Ｚに連結される２つの傾斜連結部３が分岐して形成されたものを示しているが、傾斜棟Ｚが１つの場合には、その形状は、略く形状となり、又、傾斜棟Ｚが３つ以上の場合には、これに応じた形状に形成される。
【００２１】
本発明は、このように形成された傾斜連結部３の先端に、勾配の異なる複数の段部３ａ〜３ｆを連設したことに特徴がある。
【００２２】
なお、本実施例では、６つの異なる勾配が連設された段部３ａ〜３ｆを例示しているが、その数は限定されない。
【００２３】
又、これら複数の段部３ａ〜３ｆは、軒側である先端に向けて順次急勾配となるように連設しており、従って、各段部３ａ〜３ｆの勾配は、段部３ａ＜段部３ｂ・・・＜段部３ｆに設定している。
【００２４】
これら複数の段部３ａ〜３ｆは、一定の割合で順次勾配が異なるように設定しても構わないが、本実施例では、方形屋根・寄棟屋根Ｓ等に多様される勾配に設定しており、具体的には、段部３ａの勾配は、水平線から下方に向けて１０°傾斜された傾斜連結部３と同じ１０°に設定し、これに連設される段部３ｂの勾配を１２°、段部３ｃの勾配を１３.５°、段部３ｄの勾配を１５．５°、段部３ｅの勾配を１７.７°、段部３ｆの勾配を１９．５°に各々設定している。
【００２５】
図３（ａ）〜（ｆ）は、本発明の複数の段部３ａ〜３ｆに傾斜棟Ｚが各々連設された状態を示す概略側面図である。
【００２６】
上述の如く形成された本発明に係る棟部材継手Ａによれば、傾斜棟Ｚの棟側端を、勾配の異なる複数の段部３ａ〜３ｆのうち、所望の勾配の段部３ａ〜３ｆに連設し、不要な段部は適時鋸等で切断して施工するだけで、図３（ａ）〜（ｆ）に示すように、傾斜棟Ｚを所望の勾配に簡単に葺くことができる。
【００２７】
そのため、傾斜棟Ｚの勾配に応じた棟部材継手を個別に製造したり、又は、複数の棟部材継手を予め取り揃えておく必要がなく、１つの棟部材継手Ａを兼用して勾配の異なる傾斜棟Ｚに対応することができ、作業効率を高めることができるうえ、大幅なコストダウンを図れることができる。
【００２８】
なお、図３（ｂ）〜（ｆ）中に示した破線は、段部３ａの位置を示した仮想線であり、段部３ａとの勾配の相違を比較するために示したものである。
【００２９】
また、傾斜棟Ｚの勾配が特定され、使用されない段部３ｂ〜３ｆについては、棟瓦の連接部形状により、そのままの状態でも構わない。
【図面の簡単な説明】
【００３０】
【図１】本発明に係る棟部材継手Ａの一実施例を示す要部の使用状態図である。
【図２】（ａ）は、図１で示した本発明に係る棟部材継手Ａの斜視図であり、（ｂ）は、図２（ａ）をＬ−Ｌ部分で切断した状態を示す概略断面図である。
【図３】（ａ）〜（ｆ）は、本発明の複数の段部３ａ〜３ｆに傾斜棟Ｚが各々連設された状態を示す概略側面図である。
【符号の説明】
【００３１】
Ａ      棟部材継手
Ｓ      方形屋根・寄棟屋根等
Ｘ      水平棟
Ｙ      傾斜棟
１      継手本体部
２      水平連結部
３      傾斜連結部
３ａ〜３ｆ  勾配の異なる複数の段部
【図１】
2007239193.tif 000003
【図２】
2007239193.tif 000004
【図３】
2007239193.tif 000005